(57)【要約】【課題】本発明は、紙シートを切り裂き、裁断、粉砕し、接着剤および／または砥粒を塗布し、丸めまたは丸めた後、捩じり、縒った紙製ブラシ素材とし、前記紙製ブラシ素材の周囲をカバーリングした紙製ブラシ素材作製方法および紙製ブラシ素材に関するものである。【解決手段】本発明の切り裂き工程は、紙材、紙材と不織布、不織布を切り裂く。前記切り裂かれた紙材および／または不織布は、接着剤に付ける、砥粒を振りかける、接着剤を付けると同時に砥粒を振りかける、のいずれかを行う。前記接着剤および／または砥粒が加えられた紙材および／または不織布は、成形されて棒状体、石鹸状、あるいはシート状の少なくとも一つが作製される。前記切り裂かれた紙材から作製されるブラシ素材作製方法は、素材の選択と大きさにより、繊維が有する独特の研磨面を得ることができる。【選択図】図１
2011239929.tif 000002
【特許請求の範囲】
【請求項１】
紙材および／または不織布を所定の大きさに切り裂く工程と、
前記切り裂かれた紙材および／または不織布に接着剤および／または砥粒を加える工程と、
前記接着剤および／または砥粒が加えられた紙材および／または不織布を成形して棒状体、石鹸状、あるいはシート状の少なくとも一つを作製する工程と、
から少なくとも構成されていることを特徴とするブラシ素材作製方法。
【請求項２】
紙材および／または不織布を所定の大きさに裁断する工程と、
前記裁断された紙材および／または不織布に接着剤および／または砥粒を加える工程と、
前記接着剤および／または砥粒が加えられた紙材および／または不織布を成形して棒状体、石鹸状、あるいはシート状の少なくとも一つを作製する工程と、
から少なくとも構成されていることを特徴とするブラシ素材作製方法。
【請求項３】
紙材および／または不織布を粉砕する工程と、
前記粉砕された紙材および／または不織布に接着剤および／または砥粒を加える工程と、
前記接着剤および／または砥粒が加えられた紙材および／または不織布を成形して棒状体、石鹸状、あるいはシート状の少なくとも一つを作製する工程と、
から少なくとも構成されていることを特徴とするブラシ素材作製方法。
【請求項４】
前記棒状体の少なくとも一つは、紙製シート、不織布、スポンジ、布、革、合成樹脂、金属の中の少なくとも一つにより周囲を囲むカバーリングが行われていることを特徴とする請求項１から請求項３のいずれか１項に記載されたブラシ素材作製方法。
【請求項５】
前記棒状体の少なくとも一つは、中心に紙製、不織布、布製、金属線、合成樹脂製、動植物製からなる少なくとも一つ芯材が巻き込まれているとともに、紙製シート、不織布、スポンジ、布、革、合成樹脂、金属の中の少なくとも一つにより周囲を囲むカバーリングが行われていることを特徴とする請求項１から請求項３のいずれか１項に記載されたブラシ素材作製方法。
【請求項６】
所定の大きさに裂かれた紙材および／または不織布と、
前記紙材および／または不織布に加えられた接着剤および／または砥粒と、
前記紙材および／または不織布に加えられた接着剤および／または砥粒が成形された棒状体、石鹸状、あるいはシート状の少なくとも一つからなることを特徴とするブラシ素材。
【請求項７】
所定の大きさに裁断された紙材および／または不織布と、
前記紙材および／または不織布に加えられた接着剤および／または砥粒と、
前記紙材および／または不織布に加えられた接着剤および／または砥粒が成形された棒状体、石鹸状、あるいはシート状の少なくとも一つからなることを特徴とするブラシ素材。
【請求項８】
粉砕された紙材および／または不織布と、
前記紙材および／または不織布に加えられた接着剤および／または砥粒と、
前記紙材および／または不織布に加えられた接着剤および／または砥粒が成形された棒状体、石鹸状、あるいはシート状の少なくとも一つからなることを特徴とするブラシ素材。
【請求項９】
前記棒状体、石鹸状、あるいはシート状の少なくとも一つは、紙製シート、不織布、スポンジ、布、革、合成樹脂、金属の中の少なくとも一つにより周囲がカバーリングされていることを特徴とする請求項６から請求項８のいずれか１項に記載されたブラシ素材。
【請求項１０】
前記棒状体の少なくとも一つは、中心に紙製、布製、金属線、合成樹脂製、動植物製の少なくとも一つ素材が巻き込まれているとともに、紙製シート、不織布、スポンジ、布、革、合成樹脂、金属の中の少なくとも一つにより周囲がカバーリングされていることを特徴とする請求項６から請求項８のいずれか１項に記載されたブラシ素材。
【請求項１１】
前記カバーリングは、太さあるいは材料が色および／またはコードとして付けられていることを特徴とする請求項６から請求項１０のいずれか１項に記載されたブラシ素材。
【発明の詳細な説明】
【技術分野】
【０００１】
本発明は、紙シートを切り裂き、裁断、粉砕し、接着剤および／または砥粒を塗布し、丸めまたは丸めた後、捩じり、縒った紙製ブラシ素材とし、前記紙製ブラシ素材の周囲をカバーリングした紙製ブラシ素材作製方法および紙製ブラシ素材に関するものである。本発明は、金属ブラシ毛および合成樹脂製ブラシ毛等にない、紙独特の柔らかさ、捻じりと縒りによる先端部の柔らかさ、摩擦力、弾力等を有するものであり、ブラシ素材としての腰の強さ、長さを調整することによる異なった品質にすることが容易にできる紙製ブラシ素材作製方法および紙製ブラシ素材に関するものである。なお、本明細書において、「紙シートを丸めた後、捩じり、これらを縒ったブラシ毛」を「捻じり縒りブラシ毛」と記載する。
【背景技術】
【０００２】
特開２００７−０２１０１４号公報に記載されているブラシは、熱溶着性を有する複数本のブラシ毛を長尺チャンネル部材内において、互いに熱溶着された状態で植え込まれ、前記長尺チャンネル部材の開口面から突出して長手方向に連続した状態で形成されている。
【先行技術文献】
【特許文献】
【０００３】
【特許文献１】特開２００７−０２１０１４号公報
【発明の概要】
【発明が解決しようとする課題】
【０００４】
従来、チャンネル型ブラシは、ブラシ毛のほぼ中央部を二つに折り曲げ、断面コ字状の細長いチャンネル部材の間に挿入し、両側から圧力をかけて、一体とすることにより作製される。しかし、前記チャンネル型ブラシは、ブラシ毛が金属線または金属線を含む場合、前記金属線の根本または途中から折れて、周囲に飛び散り、作業者を傷つけるという問題があった。また、前記金属線または合成樹脂製ブラシ毛を使用たブラシは、液晶表示画面、ガラス、レンズ等のように、表面の柔らかい部分を上手に磨くことができなかった。紙製の製品は、水に弱いため、紙コップ、紙皿のように成形したもの以外、使用が制限されていた。
【０００５】
以上のような課題を解決するために、本発明は、紙シートに接着剤および／または砥粒を入れた後、丸め、捩じり、縒りを加えるとともに、これらの周囲にカバーリングを施すことにより、合成樹脂製あるいは金属にない、被研磨面が紙独特の柔らかさ、摩擦力、弾力、腰の強さ、耐久性等を持つ紙製ブラシ素材作製方法および紙製ブラシ素材を提供することを目的とする。また、本発明の接着剤および／または砥粒を入れた後、丸め、捻じり縒りブラシ毛は、編み目を有するカバーリングで周囲を覆うことにより、編み目の先端部あるいは編み目の側部において、紙製品として独特の柔らかさ、摩擦力、弾力、腰の強さ等、紙独特の性質を有する紙製ブラシ素材作製方法および紙製ブラシ素材を提供することを目的とする。
【課題を解決するための手段】
【０００６】
（第１発明）
第１発明のブラシ素材作製方法は、紙材および／または不織布を所定の大きさに切り裂く工程と、前記切り裂かれた紙材および／または不織布に接着剤および／または砥粒を加える工程と、前記接着剤および／または砥粒が加えられた紙材および／または不織布を成形して棒状体、石鹸状、あるいはシート状の少なくとも一つを作製する工程とから少なくとも構成されていることを特徴とする。
【０００７】
（第２発明）
第２発明のブラシ素材作製方法は、紙材および／または不織布を所定の大きさに裁断する工程と、前記裁断された紙材および／または不織布に接着剤および／または砥粒を加える工程と、前記接着剤および／または砥粒が加えられた紙材および／または不織布を成形して棒状体、石鹸状、あるいはシート状の少なくとも一つを作製する工程とから少なくとも構成されていることを特徴とする。
【０００８】
（第３発明）
第３発明のブラシ素材作製方法は、紙材および／または不織布を粉砕する工程と、前記粉砕された紙材および／または不織布に接着剤および／または砥粒を加える工程と、前記接着剤および／または砥粒が加えられた紙材および／または不織布を成形して棒状体、石鹸状、あるいはシート状の少なくとも一つを作製する工程とから少なくとも構成されていることを特徴とする。
【０００９】
（第４発明）
第４発明のブラシ素材作製方法において、前記棒状体の少なくとも一つは、紙製シート、不織布、スポンジ、布、革、合成樹脂、金属の中の少なくとも一つにより周囲を囲むカバーリングが行われていることを特徴とする。
【００１０】
（第５発明）
第５発明のブラシ素材作製方法において、前記棒状体の少なくとも一つは、中心に紙製、不織布、布製、金属線、合成樹脂製、動植物製からなる少なくとも一つ芯材が巻き込まれているとともに、紙製シート、不織布、スポンジ、布、革、合成樹脂、金属の中の少なくとも一つにより周囲を囲むカバーリングが行われていることを特徴とする。
【００１１】
（第６発明）
第６発明のブラシ素材は、所定の大きさに裂かれた紙材および／または不織布と、前記紙材および／または不織布に加えられた接着剤および／または砥粒と、前記紙材および／または不織布に加えられた接着剤および／または砥粒が成形された棒状体、石鹸状、あるいはシート状の少なくとも一つからなることを特徴とする。
【００１２】
（第７発明）
第７発明のブラシ素材は、所定の大きさに裁断された紙材および／または不織布と、前記紙材および／または不織布に加えられた接着剤および／または砥粒と、前記紙材および／または不織布に加えられた接着剤および／または砥粒が成形された棒状体、石鹸状、あるいはシート状の少なくとも一つからなることを特徴とする。
【００１３】
（第８発明）
第８発明のブラシ素材は、粉砕された紙材および／または不織布と、前記紙材および／または不織布に加えられた接着剤および／または砥粒と、前記紙材および／または不織布に加えられた接着剤および／または砥粒が成形された棒状体、石鹸状、あるいはシート状の少なくとも一つからなることを特徴とする。
【００１４】
（第９発明）
第９発明のブラシ素材において、前記棒状体、石鹸状、あるいはシート状の少なくとも一つは、紙製シート、不織布、スポンジ、布、革、合成樹脂、金属の中の少なくとも一つにより周囲がカバーリングされていることを特徴とする。
【００１５】
（第１０発明）
第１０発明のブラシ素材において、前記棒状体の少なくとも一つは、中心に紙製、布製、金属線、合成樹脂製、動植物製の少なくとも一つ素材が巻き込まれているとともに、紙製シート、不織布、スポンジ、布、革、合成樹脂、金属の中の少なくとも一つにより周囲がカバーリングされていることを特徴とする。
【００１６】
（第１１発明）
第１１発明のブラシ素材において、前記カバーリングは、太さあるいは材料が色および／またはコードとして付けられていることを特徴とする。
【発明の効果】
【００１７】
本発明によれば、紙材および／または不織布を所定の大きさに切り裂き、接着剤および／または砥粒を染み込ませ、これを丸め、捩じり、縒った紙製ブラシ毛とし、その周囲をカバーリングして紙製ブラシ素材を構成しているため、紙の性質、捻じり、縒り独特の柔らかさ、弾性、バネ性、あるいクッション性が向上し、腰部分の強度も強い紙製ブラシ毛を作製することができる。特に、本発明のブラシ素材は、前記紙材および／または不織布を切り裂いた際に生ずる繊維による独特の柔らかさを利用することができる。
【００１８】
本発明によれば、紙材および／または不織布を所定の大きさに切り裂き、接着剤および／または砥粒が染み込んだ紙材および／または不織布を成形して、棒状体、石鹸状、あるいはシート状にすことにより、紙独特の柔らかさ、弾性、バネ性、あるいクッション性が向上し、腰部分の強度も強いだけでなく、編み込みの先端部分、交差部、結び目、または側面をブラシ素材とすることができ、使用目的にあった柔らかい研磨が可能になる。
【００１９】
本発明によれば、紙材および／または不織布を所定の大きさに裁断または粉砕し、接着剤および／または砥粒を適度に染み込ませることにより、前記柔らかいブラシ素材に弾力と強度を持たせることができるため、所望の柔らかさ、弾力、強度を持たせることができる。また、前記紙製ブラシ素材は、接着剤の種類または濃度により、また、金型等により所望の形状に容易にできる。
【００２０】
本発明によれば、接着剤および／または砥粒が染み込んだ紙シートを丸める際に、紙製素材、金属線、合成樹脂製ブラシ毛、動植物ブラシ毛を芯線として巻き込むことにより、ブラシ素材の腰の強度を調整することができ、使用目的に合った紙製ブラシ素材を作製することができる。
【００２１】
本発明によれば、紙製ブラシ素材に施されたカバーリングに色および／またはコードを付けることにより、ブラシ素材の太さあるいは材料が何であるかを一目で判るようになっている。
【図面の簡単な説明】
【００２２】
【図１】（イ）から（ニ）は本発明の第１実施例であり、切り裂いた紙からブラシ素材を作製し、成形した例を説明するための模式図である。（実施例１）
【図２】（イ）から（ニ）は本発明の第２実施例であり、裁断した紙からブラシ素材を作製し、成形した例を説明するための模式図である。（実施例２）
【図３】（イ）から（ニ）は本発明の第３実施例であり、粉砕した紙からブラシ素材を作製し、成形した例を説明するための模式図である。（実施例３）
【図４】本発明の第４実施例であり、切り裂き、裁断、および粉砕して作製された棒状体を成形してブラシ素材とした実施例を説明するための模式図である。（実施例４）
【図５】（イ）から（ニ）は本発明の第５実施例であり、切り裂き、裁断、および粉砕して作製された紙製シートに複数の芯線を入れた紙製ブラシ素材を説明するための模式斜視図である。（実施例５）
【図６】（イ）から（ニ）は本発明の第６実施例であり、紙製カバーリングの作製を説明するための図である。
【発明を実施するための形態】
【００２３】
（第１発明）
第１発明のブラシ素材作製方法は、切り裂き工程と、接着剤および／または砥粒を加える工程と、形の成形工程とから少なくとも構成されている。前記切り裂き工程は、紙材、紙材と不織布、不織布を切り裂く。本発明における「切り裂く」は、鋭利な刃物で切断するのではなく、どちらかというと、引きちぎることにより、端部に紙材または不織布の繊維が露出しているものである。前記紙材および不織布は、切り裂く際に繊維の部分がいろいろな方向に向けられる。また、前記紙材および不織布の大きさは、切り裂く際にばらばらとなる。このようにランダムの形状および大きさからなる紙材および／または不織布の繊維は、従来のブラシ毛と異なった研磨面を作り出すことができる。
【００２４】
前記切り裂かれた紙材および／または不織布は、接着剤に付ける、砥粒を振りかける、接着剤を付けると同時に砥粒を振りかける、のいずれかを行う。前記接着剤および／または砥粒が加えられた紙材および／または不織布は、成形されて棒状体、石鹸状、あるいはシート状の少なくとも一つが作製される。前記切り裂かれた紙材から作製されるブラシ素材作製方法は、素材の選択と大きさにより、繊維が有する独特の研磨面を得ることができる。また、前記不織布から作製されるブラシ素材作製方法は、不織布維が熱・機械的または化学的な作用によって接着または絡み合わせることにより作製されているため、不織布の材料に基づく独特の研磨面を得ることができる。
【００２５】
前記紙シートは、たとえば、ケナフまたは楮のような和紙を原料とすることができる。和紙からなる紙シートは、ひげのような細い繊維からなるとともに、厚さに濃淡があり、先端部が紙独特の柔軟性を有し、たとえば、液晶表示画面等表面の比較的柔らかいものを拭く紙製ブラシを作製することができる。また、前記紙シートは、和紙に限らず、あらゆる紙を使用することができ、使用する紙の種類により、ブラシ毛の独特の柔らかさが生じる。
【００２６】
また、通常使用される木材パルプは、和紙と比較して強度がやや落ちる。さらに、洋紙、古紙、牛乳パック、段ボール等は、和紙と異なる独特の柔らかさを有し、合成樹脂製ブラシ毛と異なる独特の柔軟性を得ることができる。前記紙の種類は、多数あり、接着剤および／または砥粒の種類および大きさと合わせて、紙製ブラシ毛として使用する際に、用途および目的に合ったものを選択することができる。
【００２７】
前記不織布は、たとえば、アラミド繊維、ガラス繊維、セルロース繊維、ナイロン繊維、ビニロン繊維、ポリエステル繊維、ポリオレフィン繊維、レーヨン繊維等の中の一つまたは複数から構成される。
【００２８】
前記砥粒は、たとえば、シリコンカーバイト、アルミナ、ジルコニア、ダイアモンド、エメリー、酸化セリウム、金属砥粒等のうちの少なくとも一つであり、接着剤により、所定量が接着される。前記砥粒および接着剤の量は、紙製ブラシの使用目的および紙製ブラシで拭く対象物によって任意に選択できる。さらに、前記砥粒および接着剤の入れる場所は、前記同様に、紙製ブラシの使用目的および紙製ブラシで拭く対象物によって任意に選択できる。また、前記砥粒の混入は、数％程度であるが、研磨の目的により、任意に増減できる。
【００２９】
前記接着剤は、特に限定されるものではないが、天然の糊材、無機系、合成樹脂系、ゴム系のものが水、アルコール、有機樹脂系の溶媒に溶け込ませたものが良く、研磨の目的に従って前記溶媒の濃度を調整することにより、所望の硬さのブラシ素材を得ることができる。また、前記接着剤は、水も含むものとする。本発明の接着剤は、紙に塗布すると記載されていても、塗布以外に、吹き付け、浸す等幅広い手段で紙材に対して付着されるものとする。
【００３０】
（第２発明）
第２発明のブラシ素材作製方法は、裁断工程と、接着剤および／または砥粒を加える工程と、形の成形工程とから少なくとも構成されている。前記裁断工程は、紙材、紙材と不織布、不織布を所定の大きさに裁断する。本発明における「裁断」は、刃物で切断することにより、所定の大きさにし、端部に紙材または不織布の繊維が露出しているものである。前記紙材および不織布は、裁断する際に繊維の部分がいろいろな方向に向けられる。また、前記紙材および不織布の大きさは、裁断の際にばらばらとなる。このようにランダムの形状および大きさからなる紙材および／または不織布の繊維は、素材の選択と裁断の大きさにより、従来のブラシ毛と異なった研磨面を作り出すことができる。前記裁断された紙材および／または不織布は、接着剤および／または砥粒が混ざり、成形後にブラシ素材となる。
【００３１】
（第３発明）
第３発明のブラシ素材作製方法は、粉砕工程と、接着剤および／または砥粒を加える工程と、形の成形工程とから少なくとも構成されている。前記粉砕工程は、紙材、紙材と不織布、不織布を所定の大きさに粉砕する。本発明における「粉砕」は、刃物および／または圧力によって粉砕することにより細分化するものであり、非常に短い紙材または不織布の繊維が露出しているものである。すなわち、前記粉砕は、前記裁断と比較して、大きさがより細かになっている。紙材および不織布は、粉砕する際に繊維の部分が粉々になる。前記粉々になった繊維は、接着剤および／または砥粒が混ざり、成型後にブラシ素材となる。前記ブラシ素材は、粉々になった紙材および／または不織布の端面が研磨面となり、従来のブラシ素材では得られなかった硬さを得ることができる。
【００３２】
前記第１発明から第３発明によって作製された棒状体は、捻じり縒りを加えることもできる。前記捻じり縒りブラシ素材は、ブラシ毛として、チャンネル部材またはデッキ部材等に植えつけることができる。
【００３３】
（第４発明）
第４発明のブラシ素材作製方法は、前記棒状体の少なくとも一つの周囲にカバーリングが施されている。前記カバーリング素材は、紙製シート、不織布、スポンジ、布、革、合成樹脂、金属の中の少なくとも一つからなる。前記カバーリング素材は、内部に砥粒を入れることもできる。
【００３４】
（第５発明）
第５発明のブラシ素材作製方法は、第４発明の棒状体の少なくとも一つの中心に紙製、不織布、布製、金属線、合成樹脂製、動植物製からなる少なくとも一つ芯材が巻き込まれている。また、前記ブラシ素材作製方法は、前記芯材が巻き込まれた棒状体の周囲を紙製シート、不織布、スポンジ、布、革、合成樹脂、金属の中の少なくとも一つにより囲み、カバーリングが行われている。前記芯材およびカバーリング素材は、必要に応じて、内部に砥粒をいれることができる。
【００３５】
（第６発明）
第６発明のブラシ素材は、紙材および／または不織布と、これらの内部に入れられた接着剤および／または砥粒と、棒状体、石鹸状、あるいはシート状に成形されたものとから構成されている。前記紙材および／または不織布において、本発明における「切り裂く」は、鋭利な刃物で切断するのではなく、引きちぎることにより、端部に紙材または不織布の繊維が露出しているものである。前記ブラシ素材は、接着剤および／または砥粒を混入し、棒状体、石鹸状、あるいはシート状の少なくとも一つからなる。前記棒状体は、デッキ、チャンネル等に植え込み各種ブラシを作製することができる。
【００３６】
（第７発明）
第７発明のブラシ素材は、紙材および／または不織布が所定の大きさに裁断されている点でのみ第６発明と異なっている。
【００３７】
（第８発明）
第８発明のブラシ素材は、紙材および／または不織布が粉砕されている点でのみ第７発明と異なっている。前記第６発明から第８発明のブラシ素材は、紙材および／または不織布の大きさ、素材の違い、接着剤、あるいは細分化する際の手段等により、研磨面の状態を変えることができ、素材自体および／または細分化手段によって独特のものを作製することができる。
【００３８】
（第９発明）
第９発明のブラシ素材は、前記棒状体の少なくとも一つの周囲にカバーリングが施されている。前記カバーリング素材は、紙製シート、不織布、スポンジ、布、革、合成樹脂、金属の中の少なくとも一つからなる。
【００３９】
（第１０発明）
第１０発明のブラシ素材は、第９発明の棒状体の少なくとも一つの中心に紙製、不織布、布製、金属線、合成樹脂製、動植物製からなる少なくとも一つ芯材が巻き込まれている。また、前記ブラシ素材作製方法は、前記芯材が巻き込まれた棒状体の周囲を紙製シート、不織布、スポンジ、布、革、合成樹脂、金属の中の少なくとも一つにより囲み、カバーリングが行われている。
【００４０】
（第１１発明）
第１１発明のブラシ素材は、前記カバーリングに色および／またはコードが付けられている。前記色および／またはコードは、ブラシ素材の太さあるいは材料が一目で判るようになっているため、目的に合った研磨を確実に行うことが可能である。
【実施例１】
【００４１】
図１（イ）から（ニ）は本発明の第１実施例であり、切り裂いた紙からブラシ素材を作製し、成形した例を説明するための模式図である。図１において、紙は、細かに切り裂かれる。次に、前記切り裂かれた紙１１は、たとえば、図１（ロ）に示す容器１２に収容される。図１（ハ）において、前記容器１２は、前記切り裂かれた紙１１に接着剤１１１および／または砥粒１１２が入れられる。その後、図１（ニ）において、金型（図示されていない）に入れられ、棒状体１３、石鹸状体１４、およびシート状体１５が成形される。前記棒状体１３等に成形された後、前記接着剤１１１は、自然に蒸発するもの、乾燥により蒸発するもの等がある。
【実施例２】
【００４２】
図２（イ）から（ニ）は本発明の第２実施例であり、裁断した紙からブラシ素材を作製し、成形した例を説明するための模式図である。図２において、紙は、所望の大きさに裁断２１される。次に、前記裁断２１された紙２１は、たとえば、図２（ロ）に示す容器２２に収容される。図２（ハ）において、前記容器２２は、前記裁断された紙２１に接着剤１１１および／または砥粒１１２が入れられる。その後、図２（ニ）において、金型（図示されていない）に入れられ、棒状体２３、石鹸状体２４、およびシート状体２５が成形される。なお、前記図２（イ）に示す紙の裁断２１は、一例であり、同じ形に整然とするもの、または大きさの異なる形が混じったもの等が考えられる。
【実施例３】
【００４３】
図３（イ）から（ニ）は本発明の第３実施例であり、粉砕した紙からブラシ素材を作製し、成形した例を説明するための模式図である。図３において、紙は、所望の大きさに粉砕３１される。前記紙の粉砕は、整然と切断する場合、あるいは粉々に粉砕するいずれの場合であっても良い。次に、前記粉砕３１された紙３１は、たとえば、図３（ロ）に示す容器３２に収容される。図３（ハ）において、前記容器３２は、前記粉砕された紙３１に接着剤１１１および／または砥粒１１２が入れられる。その後、図３（ニ）において、金型（図示されていない）に入れられ、棒状体３３、石鹸状体３４、およびシート状体３５が成形される。
【００４４】
前記紙は、和紙の場合、濃淡のある（透けて見える所がある）ものとなる。また、前記紙は、和紙、洋紙、厚紙、リサイクル用紙等、被研磨面、あるいは研磨目的によって、種々の品種のものを選択することができる。前記紙は、古紙、牛乳パック、段ボール等を基にしたものを使用することもできる。図１から図３に示された棒状体１３、２３、３３は、必要に応じて、捻じり縒られたブラシ素材となる（図示されていない）。
【実施例４】
【００４５】
図４は本発明の第４実施例であり、切り裂き、裁断、および粉砕して作製された棒状体を成形してブラシ素材とした実施例を説明するための模式図である。図４において、前記１３、２３、３３および図示されていない捻じり縒りブラシ素材は、たとえば、図１から図３（ニ）に示すシート部材１５、２５、３５によってカバーリング４５される。
【実施例５】
【００４６】
図５（イ）から（ニ）は本発明の第５実施例であり、切り裂き、裁断、および粉砕して作製された紙製シートに複数の芯線を入れた紙製ブラシ素材を説明するための模式斜視図である。図５（イ）から（ニ）において、切り裂き、裁断、および粉砕して作製された紙製シート５１は、接着剤５１１および／または砥粒５１２が塗布された紙製シート５２となる。前記紙製シート５２は、芯線５１３をいれて紙製シート５３となる。図４に示す棒状体１３（２３、３３）または前記棒状体１３（２３、３３）から作製される図示されていない捻じり縒りブラシ毛は、その周囲に前記紙製シート５１、５２、５３の何れかが巻回されて、ブラシ素材となる。
【実施例６】
【００４７】
図６（イ）から（ニ）は本発明の第６実施例であり、紙製カバーリングの作製を説明するための図である。図６（イ）において、カバーリング６１は、切り裂き、裁断、および粉砕された紙材６１１をシート状に成形されている。カバーリング６２は、切り裂き、裁断、および粉砕された紙材６１１、接着剤および／または砥粒６１２を入れてシート状に成形されている。カバーリング６３は、切り裂き、裁断、および粉砕された紙材６１１、接着剤および／または砥粒６１２、金属部材または合成樹脂部材６１３を入れてシート状に成形されている。前記合成樹脂部材６１３は、図示されていない不織布とすることもできる。
【００４８】
また、図示されていないが、前記カバーリングは、少なくとも一本を編み機（公知の編み機）により網状に編み込んだ状態にしたものとすることができる。カバーリングは、合成樹脂製ブラシ毛より、研磨面および腰が柔らかい、紙独特の性質を得ることができる。前記紙製カバーリングに使用する紙の種類は、多数あり、紙製ブラシ毛として使用する際の用途により、目的に合った紙の種類を選択することができる。
【００４９】
前記捻じり縒り棒状体からなるブラシ素材は、縒ることにより、紙の種類から生じる独特の柔らかさ、および紙の捩じりおよび縒りから生じる隙間により、摩擦力および腰の強さに独特の強度を持ち、かつ、柔軟性の優れた紙製ブラシ毛となる。前記捩じりおよび縒られた棒状体は、少なくとも１本または複数本が集合されて紙製ブラシ毛となる。前記柔軟性の高い紙製ブラシ毛は、植え込み部材に植え込まれる。
【００５０】
また、前記捻じり縒り紙製ブラシ毛は、公知の編み機によって網状に編まれる。前記捻じり縒り紙製ブラシ毛の編み方は、図示以外に、公知の各種方法を採用することができる。前記網状に編まれた紙製ブラシ毛は、先端、側端、側面をブラシ面として使用できる。前記網の編み方は、紙の材質以外に、交差部、結び目、編み目の大小、編み目の密度等によって研磨具合を変えることができる。前記網状に編まれた紙製ブラシ毛は、捩じり縒りだけの場合と比較して、より多くの隙間を有するため、柔らかい研磨以外に、振動を吸収しながらの研磨することができる。
【００５１】
前記カバーリング５１、５２、５３、６１、６２、６３は、紙の代わりに、合成樹脂製、布、革、不織布、または金属製とすることもできる。
【００５２】
本発明のブラシ素材に使用する接着剤は、使用目的等により、種類を選択し、濃度を調整することにより、形状以外に固さも調整することができる。前記接着剤が染み込んだ捻じり縒り紙製ブラシ毛は、接着剤の種類および濃度、紙の種類、捩じり、および縒りから生じる独特の柔らかさおよび軽さを持たせることができる。前記接着剤は、水性接着剤、無機系接着剤、有機系接着剤、天然ゴム系接着剤、ニカワを主原料とする天然接着剤、ニカワと木質セルローズを含む接着剤、壁紙用天然接着剤等が使用される。
【００５３】
また、紙製ブラシ素材の中心に入れる材料は、金属線、合成樹脂製ブラシ毛、動植物製ブラシ毛とすることができる。また、砥粒は、たとえば、シリコンカーバイト、アルミナ、ジルコニア、ダイアモンド、エメリー、酸化セリウム、金属等のうちの少なくとも一つの砥粒が接着剤により、所定量だけ取り付けることができる。前記砥粒の種類、大きさ、および接着剤の量は、紙製ブラシの使用目的および紙製ブラシで拭く対象物によって任意に選択できる。さらに、前記砥粒およびペースト状接着剤の入れる場所は、前記同様に、紙製ブラシの使用目的および紙製ブラシで拭く（磨く）対象物によって、先端部の一部、先端部から中間部まで、あるいは全体といったように任意に選択できる。
【００５４】
以上、本発明の実施例を詳述したが、本発明は、前記実施例に限定されるものではない。そして、本発明は、特許請求の範囲に記載された事項を逸脱することがなければ、種々の設計変更を行うことが可能である。ブラシ素材となる紙の種類、厚さ、透きかた、形状、密度、捩じり方、縒り方等は、任意に選択することができる。また、紙の捩じり、または縒り方は、従来から使用されている機械により作製することができる。
【符号の説明】
【００５５】
１１・・・切り裂かれた紙材
１１１・・・接着剤
１１２・・・砥粒
１２・・・容器
１３・・・棒状体
１４・・・石鹸状体
１５・・・シート状またはカバーリング
２１・・・裁断された紙材
２２・・・容器
２３・・・棒状体
２４・・・石鹸状体
２５・・・シート状またはカバーリング
３１・・・粉砕された紙材
３２・・・容器
３３・・・棒状体
３４・・・石鹸状体
３５・・・シート状またはカバーリング
【図１】
2011239929.tif 000003
【図２】
2011239929.tif 000004
【図３】
2011239929.tif 000005
【図４】
2011239929.tif 000006
【図５】
2011239929.tif 000007
【図６】
2011239929.tif 000008